(57)【要約】【課題】本発明は、前記貼り付け型タグの表面の形状を工夫して貼り付け型タグの脱落を防止することを目的とする。【解決手段】本発明の盗難防止タグは、商品に貼り付けられ，商品から剥がされると鳴動する貼り付け型盗難防止タグにおいて、該貼り付け型タグ・ケースの表面に紐掛け用の溝を設ける。前記タグの溝はケース長手方向に直角に設けられた８〜１２mmの硬質プラスティック製梱包用テープが嵌まり込む幅の横溝である。また、前記タグ・ケースには商品から剥がされるとオンとなる検知スイッチが設けられ，該タグ・ケース内に上記検知スイッチにより作動する警報回路が設けられている、さらには前記タグ・ケース内には受信回路を有し、前記警報回路は、ゲートの送信電波を受信した場合の上記受信回路の作動によっても鳴動する、あるいは前記タグ・ケース内には同調回路を有し、ゲートの送信電波を受信した場合の上記同調回路によりゲートが鳴動する。【選択図】図１
2005115576.tif 000002
【特許請求の範囲】
【請求項１】
商品に貼り付けられ，商品から剥がされると鳴動する貼り付け型盗難防止タグにおいて、
該貼り付け型タグ・ケースの表面に紐掛け用の溝を設けたことを特徴とする盗難防止タグ。
【請求項２】
前記溝がケース長手方向に直角に設けられた８〜１２mmの硬質プラスティック製梱包用テープが嵌まり込む幅の横溝であることを特徴とする前記請求項１記載の盗難防止タグ。
【請求項３】
前記タグ・ケースには商品から剥がされるとオンとなる検知スイッチが設けられ，該タグ・ケース内に上記検知スィッチにより作動する警報回路が設けられていることを特徴とする前記請求項１または２記載の盗難防止タグ。
【請求項４】
前記タグ・ケース内には受信回路を有し、前記警報回路は、ゲートの送信電波を受信した場合の上記受信回路の作動によっても鳴動することを特徴とする前記請求項３記載の盗難防止タグ。
【請求項５】
前記タグ・ケース内には同調回路を有し、ゲートの送信電波を受信した場合の上記同調回路によりゲートが鳴動することを特徴とする前記請求項３記載の盗難防止タグ。
【発明の詳細な説明】
【技術分野】
【０００１】
本発明は、箱物や防犯収納ケースに収納できない物、例えばＰＣ、カメラ、ウォークマンなどにテープやバンドなどで締め付けて取り付ける貼り付け型盗難防止タグに関する。
【背景技術】
【０００２】
このような貼り付け型盗難防止タグは、図6に示す如く、単独でテープ等により商品に取り付けられて用いられる自鳴式物品監視用タグ１５に代表される。これは同じ出願人の提案したものでありケース内には、自鳴式物品監視回路を内蔵している（再公表特許ＷＯ００／３１７０３号公報）。なお、図において、１６は発光ダイオードである。また、貼り付け型タグには、自鳴式回路を内蔵しないで、単に取り外し警報だけをするものや、上記自鳴式タグと混在して用いられ、受動式同調回路のみを有するダミータグも用いられている。この発明はこのような各種貼り付け型タグに適用される。
【０００３】
以下、代表的な貼り付け型タグである自鳴式物品監視用タグについて説明する。前記図６の詳細な分解図を図７に示す。図７（ａ）は図６を底から見た図、図７（ｂ）は上記タグケース内に収納されているプリント基板を外に取り出したところを、また図７（ｃ）は上記図７（ａ）の底板を外したところを示している。３１は図６の１６に対応する前記発光ダイオードの表示窓である。図７において、２７はプラスティック・ケースであり、図６に示す如く、外観が舟型をひっくり返した形状をしている。１８は該ケース内に収納されるプリント基板、２０はブザー、２１は電池、２２はプリント基板に設けられた長孔、２３はスイッチ、２４は雄型ロック部材、２５は雌型ロック部材、２６はロック・ピン、２７は底板、２８はスナップ・スイッチ、３０は該スナップ・スイッチの動作片、２９は底板に設けられた開孔である。
【０００４】
上記自鳴式タグは、長さ９cm、幅２cm、の逆舟型をしており、該ケースの開孔２９から突出したスナップ・スイッチの動作片３０を商品に押し付けてテープ等で商品に固着されている。上記タグは、ロック・ピンを押すとロック状態になり、電源がＯＮとなる。後述するように、電源ＯＮでも上記動作片３０が押されている限りブザーは鳴らない。しかし、上記ロック状態にして商品に貼り付けた状態で、不正に上記タグが商品より外されると、上記動作片３０がＯＮとなりブザーが鳴動する。また、ロック解除を行わずに不正に商品を持って黙って入口から出ようとする場合も入り口にある発振装置の電波を受信してブザーが鳴動する。
【０００５】
図８に、上記タグのロック機構の部分の拡大図を示す。なお、図８（ａ）は上記ロック状態を示し、図８（ｂ）〜図８（ｅ）は解除キー２によりが該ロックが解除される動作を示す。図８に見られる如く、雌型ロック部材９は、略コの字状の底部、雄型ロック部材８と係合する係合部１５及び雄型ロック部材に対して逆ハの字状に開脚する開脚部１７からなっていて、それらは前記プリント基板の孔に係合して固着するためのピンと共にプラスティック素材で一体成形されている。該雌型ロック部材９は、前記舟型ケースの底部に貼り付けられてケースに固着されている。
【０００６】
雄型ロック部材８は、二つのくびれ部分をもち、一見バイオリンの胴部分と似たような形状をしている。上記形状のくびれ部分（凹部２６，２８）のロック側凹部２８は雌型ロック部材と係合する係合用の直角部分１６を有し、外側凹部２６は解除キー２の円形突起２１が填り込むように半円形の形状をしている。なお、１０は該雄型ロック部材と一体に設けられているロック・ピンである。前記プリント基板には、自鳴式盗難防止用の前記機能を有する回路が組み込まれており、前記スイッチ２８（図７）のＯＮ、または例えば８．２ＭＨｚの電波を受信することによってブザー２０を鳴らすことができる。なお、動作周波数は５７ｋＨｚや２２ｋＨｚ等の他の周波数でもよい。
【０００７】
このときの上記ロック機構を前記自鳴式物品監視用タグに用いた場合の動作は以下のとおりである。図７（ｂ）において２３は自鳴式警報回路の電源スイッチであり、上記ロック機構のロック時に該スイッチが入り、自鳴式警報回路がＯＮ状態となる。自鳴式警報回路がＯＮ状態となると、ブザー鳴動回路（発振回路）の入力を短絡している警報作動スイッチ２８のＯＮ状態、もしくは上記回路に内蔵されている警報発生用電波の受信回路への電波入力によって作動し、警報が鳴る。
【０００８】
また、図８に示す如く前記解除キー２の先端を前記舟型ケースの後方のロック・ピン側正面に設けられた両サイドの孔３２（図７）から挿入し、上記解除キー２を奥まで押し込んで引っ張り、ロックを解除すると、前記雄型ロック部材の上面に設けられた突起２９の作用によりスライド・スイッチまたは自動復帰型スイッチ（電源スイッチ）２３がＯＦＦとなるので、上記ブザーの鳴動回路への電源供給が断たれ、前記タグは取り外しても鳴動しない。
【０００９】
かくして、ロック時に上記電源スイッチが投入され、またロック解除時に上記電源スイッチがＯＦＦとなる。正常に商品が販売されるときは、店舗の入り口カウンタで、店員が上記解除キーにより上記自鳴式タグのロックを解除して商品から取り外し商品のみを客に引き渡すので、自鳴式タグが鳴動することはない。
【００１０】
自鳴式物品監視装置は持ち出そうとする商品そのものが鳴動するので犯人を特定し易く、現場を押さえるのに上記受動式ペーパータグより有効である。しかし、ペーパータグは１個１０〜２０円であるのに対して、自鳴式のものは２００〜３００円と高価なため多く用いることが困難である。
【００１１】
この場合、上記自鳴式物品監視装置の取りつけられていないケースには、上記自鳴式物品監視装置の取りつけられているケースとの見分けが付かないように外観上同じ自鳴式物品監視装置のタグ・ケースのみ（ダミー）が取り付けられている。このようなダミー・ケースの盗難防止は、ケース内にアンテナとコンデンサのみの同調回路を内蔵させ、入口ゲートでの鳴動によって行っている。
【００１２】
上記貼り付け型タグは、図９のごとく、商品に梱包用のテープ１０を掛けて結束し、その後該テープを持ち上げて図３のように上記タグを挿み込んで展示されることが多い。この梱包テープは、通称「ＰＰバンド」といわれるポリプロピレン等の硬質プラスティック製であり、その表面には結束時固着させるための摩擦力を増すため、エンボス加工がなされている。「ＰＰバンド」は丈夫なため、結束用の部材としては優れているが、その表面は硬質プラスティックであって滑らかであり、また上記エンボス加工のため余計滑り易く、前記のごとく貼り付け型タグを挟み込んだ場合、タグ表面にも図３に示される如くギザギザが形成しているのではあるが、該タグの表面もプラスティック製なの相互に滑って商品からよく外れてしまう欠点があった。
【００１３】
該タグは、外れると警報回路が作動して鳴動し、該鳴動は係員がきて解除キーを差し込んで回路を解除するまで止まらないので、周辺の顧客にとって煩わしく、また店員も余計な作業が増えるため煩わしい欠点がある。
【特許文献１】再公表特許ＷＯ００／３１７０３号公報
【発明の開示】
【発明が解決しようとする課題】
【００１４】
本発明の課題は、前記貼り付け型タグの表面の形状を工夫して、上記のごとき貼り付け型タグの梱包用テープからの脱落を防止することを目的とする。
【課題を解決するための手段】
【００１５】
上述した課題を解決するため、本発明の盗難防止タグは、商品に貼り付けられ、商品から剥がされると鳴動する貼り付け型盗難防止タグにおいて、該貼り付け型タグ・ケースの表面に紐掛け用の溝を設けたことを特徴とする。
【００１６】
さらに、前記タグは、前記溝がケース長手方向に直角に設けられた８mm〜１２mmの硬質プラスティック製梱包用テープが嵌まり込む幅の横溝であることを特徴とする。
また、前記タグ・ケースには商品から剥がされるとオンとなる検知スイッチが設けられ、該タグ・ケース内に上記検知スィッチにより作動する警報回路が設けられていること、さらには前記タグ・ケース内には受信回路を有し、前記警報回路は、ゲートの送信電波を受信した場合の上記受信回路の作動によっても鳴動すること、あるいは前記タグ・ケース内には同調回路を有し、ゲートの送信電波を受信した場合の上記同調回路によりゲートが鳴動することを特徴とする。
【発明の効果】
【００１７】
本発明の盗難防止タグは、梱包用のＰＰバンドが嵌まり込む溝がタグの表面に設けられているので、該溝にＰＰバンドを嵌め込んで展示することにより、簡単には上記タグが外れることがないので、展示中に客が触った程度でタグが外れて鳴動するといった誤動作が防止でき、該誤動作に対応する店員の負担も軽減されるという顕著な効果を奏する。
【発明を実施するための最良の形態】
【００１８】
以下、図面を参照し、実施例にもとづき本発明を詳細に説明する。
図１は、本発明の貼り付け型タグのケースの全体構造を説明する図である。また、図４，図５は、上記タグ・ケースの詳細図を示す。なお、図５は、解除キー１２がロック機構に差し込まれたときの断面図を示す。
【００１９】
図１において1はタグ・ケース、２はタグ・ケースの上面に設けられた溝、３，４は該溝を形成するためにケース上面に設けられた断面三角形状のリブ、６は発光ダイオードの表示窓、５はブザー鳴動用の穴である。本発明の貼り付け型タグは、使用時図２に示される如く、図１１のように商品が梱包された場合の結束用のＰＰバンド１０を上記溝２に入れ込んで商品が展示される。
【００２０】
このようにするとＰＰバンド１０が溝３によってしっかり商品に固定されるので、前記タグ１は少々のことでは上記ＰＰバンド１０から外れることがなく、商品展示中に客が商品を取り上げて見たような時に上記タグがＰＰバンドから外れて「ピー、ピー」鳴り出すといった事故が防止できる。
【産業上の利用可能性】
【００２１】
本発明の貼り付け型タグ・ケースは、ＰＰバンドで結束した箱に収納されて販売されるもの、例えばノートブック・パソコン、デジカメ等の電気製品やパソコンソフト等の箱物の盗難防止用に多く用いられる。
【００２２】
本発明の構造のタグ・ケースを用いれば、不必要な時にタグが外れて鳴動することがなくなるので、タグの利便性が向上する。
【図面の簡単な説明】
【００２３】
【図１】本発明の貼り付け型タグの概観図である。
【図２】本発明の貼り付け型タグの使用状態を示す図である。
【図３】従来の貼り付け型タグの使用状態を示す図である。
【図４】本発明のタグ・ケースの詳細図である。
【図５】解除キー１２がロック機構に差し込まれたときの断面図である。
【図６】従来の貼り付け型タグの概観図である。
【図７】（ａ）は図６を底から見た図、（ｂ）は上記タグケース内に収納されているプリント基板を外に取り出したところを、また（ｃ）は（ａ）の底板を外したところを示す図である。
【図８】上記タグのロック機構の解除動作を示す図である。
【図９】箱物商品の結束状態の説明図である。
【符号の説明】
【００２４】
１      タグ・ケース
２      溝
３      リブ
４      リブ
１０，１１      結束テープ（ＰＰバンド）
【図１】
2005115576.tif 000003
【図２】
2005115576.tif 000004
【図３】
2005115576.tif 000005
【図４】
2005115576.tif 000006
【図５】
2005115576.tif 000007
【図６】
2005115576.tif 000008
【図７】
2005115576.tif 000009
【図８】
2005115576.tif 000010
【図９】
2005115576.tif 000011